(57)【要約】【課題】  マルチディスプレイシステムを構成する各ディスプレイに表示中の画像を異なる画像に変更できる使い勝手の良い携帯端末装置および該携帯端末装置を含むマルチディスプレイシステムを提供する。【解決手段】  マルチディスプレイシステム１０００を、複数のディスプレイ１００と情報処理装置２００と携帯端末装置３００とによって構成し、携帯端末装置３００のタッチパネル式表示部３１０に、ディスプレイ１００の数と同一の数の操作キー画像を表示させ、操作キー画像に対するタッチ操作が行われた場合は、ディスプレイ側表示部１１０に、該ディスプレイ側表示部１１０に表示中の画像とは異なる画像を表示させる。【選択図】      図５
2012108211.tif 000002
【特許請求の範囲】
【請求項１】
ディスプレイ側表示部、ディスプレイ側通信部、およびディスプレイ側制御部を有する複数のディスプレイと、
画像情報を記憶する情報処理装置側記憶部、情報処理装置側通信部、および情報処理装置側制御部を有する情報処理装置と、
タッチパネル式表示部、携帯端末装置側通信部、携帯端末装置側制御部、および携帯端末装置側記憶部を有する携帯端末装置とを含み、
前記情報処理装置側制御部が、前記情報処理装置側記憶部に記憶される画像情報を、前記情報処理装置側通信部および前記ディスプレイ側通信部を介して前記ディスプレイに送信し、前記情報処理装置から送信されてきた画像情報に基づいて前記ディスプレイ側制御部が前記ディスプレイ側表示部を制御することで該ディスプレイ側表示部に画像を表示させるマルチディスプレイシステムであって、
前記情報処理装置側記憶部は、前記マルチディスプレイシステムを構成するディスプレイの数を示すディスプレイ数情報を含むマルチディスプレイ情報を記憶し、
前記情報処理装置側制御部は、前記情報処理装置側記憶部に記憶されているマルチディスプレイ情報を、前記情報処理装置側通信部および前記携帯端末装置側通信部を介して、前記携帯端末装置へ送信し、
前記携帯端末装置側記憶部は、前記情報処理装置から送信されてきたマルチディスプレイ情報を記憶し、
前記携帯端末装置側制御部は、前記携帯端末装置側記憶部に記憶されているマルチディスプレイ情報に基づいて前記タッチパネル式表示部を制御することで、該タッチパネル式表示部に、前記マルチディスプレイシステムを構成するディスプレイの数と同一の数の操作キー画像を表示させ、
前記携帯端末装置側制御部は、前記操作キー画像に対するタッチ操作が行われると、該タッチ操作に対応する操作情報に基づいて、前記ディスプレイ側表示部に表示中の画像を変更させる変更指示情報を生成し、生成した変更指示情報を、前記携帯端末装置側通信部および前記情報処理装置側通信部を介して、前記情報処理装置へ送信し、
前記情報処理装置側制御部は、前記携帯端末装置から送信されてきた変更指示情報に基づいて、前記ディスプレイ側表示部に、該ディスプレイ側表示部に表示中の画像とは異なる画像を表示させることを特徴とするマルチディスプレイシステム。
【請求項２】
前記マルチディスプレイ情報は、前記マルチディスプレイシステムを構成する各ディスプレイの配置を示す配置情報を含み、
前記操作キー画像は、前記マルチディスプレイシステムを構成する各ディスプレイの配置と同一の配置で表示されることを特徴とする請求項１に記載のマルチディスプレイシステム。
【請求項３】
前記マルチディスプレイ情報は、各ディスプレイ側表示部に表示中の画像の基になる画像情報を含み、
前記操作キー画像は、前記マルチディスプレイ情報に含まれる画像情報に基づいて、各ディスプレイ側表示部に表示中の画像を縮小した画像を含むことを特徴とする請求項１または２に記載のマルチディスプレイシステム。
【請求項４】
前記変更指示情報は、２つのディスプレイ側表示部に表示中の画像を入れ替える指示か、各ディスプレイ側表示部に表示中の画像を拡大もしくは縮小させる指示か、または、各ディスプレイ側表示部に表示中の画像を黒画像に入れ替える指示に対応する情報であることを特徴とする請求項１〜３のいずれか１つに記載のマルチディスプレイシステム。
【請求項５】
前記携帯端末装置は、前記情報処理装置と一体的に構成されていることを特徴とする請求項１〜４のいずれか１つに記載のマルチディスプレイシステム。
【請求項６】
請求項１に記載のマルチディスプレイシステムを構成する携帯端末装置であって、
前記タッチパネル式表示部として機能するタッチパネル式の表示部と、
前記携帯端末装置側通信部として機能する通信部と、
前記携帯端末装置側制御部として機能する制御部と、
前記携帯端末装置側記憶部として機能する記憶部とを有することを特徴とする携帯端末装置。
【発明の詳細な説明】
【技術分野】
【０００１】
本発明は、マルチディスプレイシステムおよび携帯端末装置に関する。
【背景技術】
【０００２】
マルチディスプレイシステムは、複数のディスプレイをライン状やマトリクス状などに配置して接続することで、１つの画像を分割して各ディスプレイに表示したり、各ディスプレイに表示される画像を連動させたりすることを可能にする表示システムである。
【０００３】
たとえば、特許文献１には４個のディスプレイを２行２列に配置して接続したマルチディスプレイシステムが記載され、特許文献２には９個のディスプレイを３行３列に配置して接続したマルチディスプレイシステムが記載されている。このようなマルチディスプレイシステムは、たとえば、商品の展示場、駅、多目的ホールなどに設置される。
【先行技術文献】
【特許文献】
【０００４】
【特許文献１】特開２００６−２５４２７５号公報
【特許文献２】特開２００９−１０３７２８号公報
【発明の概要】
【発明が解決しようとする課題】
【０００５】
特許文献１に記載のマルチディスプレイシステムは、各ディスプレイに表示される画像の画質（コントラスト、ブライトネスなど）を調整するためのリモートコントローラを含んでいる。ただし、このリモートコントローラでは、各ディスプレイに表示中の画像を異なる画像に変更することはできない。
【０００６】
また、このコントローラは、複数の物理的な操作キーを備えており、この操作キーが押下されることで、操作キーに対応するディスプレイが選択され、選択されたディスプレイにおける画質の調整が行われる。したがって、マルチディスプレイシステムを構成するディスプレイの数が操作キーの数よりも多い場合には、操作キーとディスプレイとを１対１に対応させることができないので、たとえば、複数の操作キーの組み合わせと各ディスプレイとを対応させるなどの手順が必要であり、使い勝手が悪い。
【０００７】
本発明は、上述した課題を解決するためのものであり、マルチディスプレイシステムを構成する各ディスプレイに表示中の画像を異なる画像に変更できる使い勝手の良い携帯端末装置および該携帯端末装置を含むマルチディスプレイシステムを提供することを目的とする。
【課題を解決するための手段】
【０００８】
本発明は、ディスプレイ側表示部、ディスプレイ側通信部、およびディスプレイ側制御部を有する複数のディスプレイと、
画像情報を記憶する情報処理装置側記憶部、情報処理装置側通信部、および情報処理装置側制御部を有する情報処理装置と、
タッチパネル式表示部、携帯端末装置側通信部、携帯端末装置側制御部、および携帯端末装置側記憶部を有する携帯端末装置とを含み、
前記情報処理装置側制御部が、前記情報処理装置側記憶部に記憶される画像情報を、前記情報処理装置側通信部および前記ディスプレイ側通信部を介して前記ディスプレイに送信し、前記情報処理装置から送信されてきた画像情報に基づいて前記ディスプレイ側制御部が前記ディスプレイ側表示部を制御することで該ディスプレイ側表示部に画像を表示させるマルチディスプレイシステムであって、
前記情報処理装置側記憶部は、前記マルチディスプレイシステムを構成するディスプレイの数を示すディスプレイ数情報を含むマルチディスプレイ情報を記憶し、
前記情報処理装置側制御部は、前記情報処理装置側記憶部に記憶されているマルチディスプレイ情報を、前記情報処理装置側通信部および前記携帯端末装置側通信部を介して、前記携帯端末装置へ送信し、
前記携帯端末装置側記憶部は、前記情報処理装置から送信されてきたマルチディスプレイ情報を記憶し、
前記携帯端末装置側制御部は、前記携帯端末装置側記憶部に記憶されているマルチディスプレイ情報に基づいて前記タッチパネル式表示部を制御することで、該タッチパネル式表示部に、前記マルチディスプレイシステムを構成するディスプレイの数と同一の数の操作キー画像を表示させ、
前記携帯端末装置側制御部は、前記操作キー画像に対するタッチ操作が行われると、該タッチ操作に対応する操作情報に基づいて、前記ディスプレイ側表示部に表示中の画像を変更させる変更指示情報を生成し、生成した変更指示情報を、前記携帯端末装置側通信部および前記情報処理装置側通信部を介して、前記情報処理装置へ送信し、
前記情報処理装置側制御部は、前記携帯端末装置から送信されてきた変更指示情報に基づいて、前記ディスプレイ側表示部に、該ディスプレイ側表示部に表示中の画像とは異なる画像を表示させることを特徴とするマルチディスプレイシステムである。
【０００９】
また本発明は、前記マルチディスプレイ情報は、前記マルチディスプレイシステムを構成する各ディスプレイの配置を示す配置情報を含み、
前記操作キー画像は、前記マルチディスプレイシステムを構成する各ディスプレイの配置と同一の配置で表示されることを特徴とする。
【００１０】
また本発明は、前記マルチディスプレイ情報は、各ディスプレイ側表示部に表示中の画像の基になる画像情報を含み、
前記操作キー画像は、前記マルチディスプレイ情報に含まれる画像情報に基づいて、各ディスプレイ側表示部に表示中の画像を縮小した画像を含むことを特徴とする。
【００１１】
また本発明は、前記変更指示情報は、２つのディスプレイ側表示部に表示中の画像を入れ替える指示か、各ディスプレイ側表示部に表示中の画像を拡大もしくは縮小させる指示か、または、各ディスプレイ側表示部に表示中の画像を黒画像に入れ替える指示に対応する情報であることを特徴とする。
【００１２】
また本発明は、前記携帯端末装置は、前記情報処理装置と一体的に構成されていることを特徴とする。
【００１３】
また本発明は、前記マルチディスプレイシステムを構成する携帯端末装置であって、
前記タッチパネル式表示部として機能するタッチパネル式の表示部と、
前記携帯端末装置側通信部として機能する通信部と、
前記携帯端末装置側制御部として機能する制御部と、
前記携帯端末装置側記憶部として機能する記憶部とを有することを特徴とする携帯端末装置である。
【発明の効果】
【００１４】
本発明によれば、携帯端末装置のタッチパネル式表示部には操作キー画像が表示され、該操作キー画像に対するタッチ操作が行われると、ディスプレイ側表示部に、該ディスプレイ側表示部に表示中の画像とは異なる画像が表示される。したがって、携帯端末装置を操作することで、ディスプレイに表示される画像を変更することができる。また、操作キー画像は、マルチディスプレイシステムを構成するディスプレイの数と同じ数表示されるので、各操作キー画像と各ディスプレイとを１対１に対応させることができ、画像の変更に際して複雑な操作を必要とせず、携帯端末装置の使い勝手が良い。
【００１５】
また本発明によれば、携帯端末装置のタッチパネル式表示部に、マルチディスプレイシステムを構成する各ディスプレイの配置と同一の配置で、操作キー画像が表示される。したがって、各ディスプレイに対応する操作キー画像を、視覚的に容易に確認することができるので、携帯端末装置の使い勝手がより良い。
【００１６】
また本発明によれば、携帯端末装置のタッチパネル式表示部に表示される操作キー画像は、マルチディスプレイシステムを構成する各ディスプレイに表示中の画像を縮小した画像を含む。したがって、各ディスプレイに対応する操作キー画像を、視覚的に容易に確認することができるので、携帯端末装置の使い勝手がより良い。
【００１７】
また本発明によれば、変更指示情報は、２つのディスプレイ側表示部に表示中の画像を入れ替える指示か、各ディスプレイ側表示部に表示中の画像を拡大もしくは縮小させる指示か、または、各ディスプレイ側表示部に表示中の画像を黒画像に入れ替える指示に対応する情報である。したがって、携帯端末装置を操作することで、各ディスプレイに対して種々の操作を行うことができるので、携帯端末装置の使い勝手がより良い。
【００１８】
また本発明によれば、携帯端末装置は、情報処理装置と一体的に構成される。これによって、情報処理装置と携帯端末装置との間の通信に必要な携帯端末装置側通信部を省略することができる。また、制御部および記憶部を共通のものとすることができる。
【００１９】
また本発明によれば、マルチディスプレイシステムを構成するディスプレイの数と同じ数の操作キー画像をタッチパネル式表示部に表示することができ、かつ、該操作キー画像に対するタッチ操作を行うことでディスプレイに表示される画像を変更することができる携帯端末装置を提供することができる。
【図面の簡単な説明】
【００２０】
【図１】マルチディスプレイシステム１０００の構成を示す模式図である。
【図２】ディスプレイ１００の構成を示すブロック図である。
【図３】情報処理装置２００の構成を示すブロック図である。
【図４】携帯端末装置３００の外観図である。
【図５】携帯端末装置３００の構成を示すブロック図である。
【図６】マルチディスプレイシステム１０００における画像変更処理を説明するためのフローチャートである。
【図７】操作キー画像の具体例を示す図である。
【図８】操作キー画像の具体例を示す図である。
【図９】操作キー画像の具体例を示す図である。
【図１０】入替指示情報について説明するための図である。
【図１１】２つのディスプレイ１００に表示中の画像を入れ替えるときの処理を示すフローチャートである。
【図１２】拡大指示情報について説明するための図である。
【図１３】ディスプレイ１００に表示中の画像を拡大させるときの処理を示すフローチャートである。
【図１４】非表示指示情報について説明するための図である。
【図１５】ディスプレイ１００に表示中の画像を黒画像に入れ替えるときの処理を示すフローチャートである。
【図１６】全画面表示指示情報について説明するための図である。
【図１７】１つのディスプレイ１００に表示中の画像をすべてのディスプレイ１００に亘って拡大して表示させるときの処理を示すフローチャートである。
【図１８】次画像表示指示情報について説明するための図である。
【図１９】次画像を全画面表示させるときの処理を示すフローチャートである。
【図２０】前画像表示指示情報について説明するための図である。
【００２１】
【図２１】前画像を全画面表示させるときの処理を示すフローチャートである。
【図２２】縮小指示情報について説明するための図である。
【図２３】ディスプレイ１００に表示中の画像を縮小させるときの処理を示すフローチャートである。
【発明を実施するための形態】
【００２２】
以下に、本発明の実施形態である携帯端末装置３００を含むマルチディスプレイシステム１０００について説明する。図１は、マルチディスプレイシステム１０００の構成を示す模式図である。マルチディスプレイシステム１０００は、ディスプレイ１００ａ，１００ｂ，１００ｃ，１００ｄ，１００ｅ，１００ｆ，１００ｇ，１００ｈ，１００ｉと、情報処理装置２００と、携帯端末装置３００とによって構成される。各ディスプレイ１００ａ〜１００ｉについて、特に区別しない場合は、ディスプレイ１００と表す。
【００２３】
図２は、ディスプレイ１００の構成を示すブロック図である。ディスプレイ１００としては、有機ＥＬ（Electro Luminescence）ディスプレイ、液晶ディスプレイ、プラズマディスプレイ、ＬＥＤ（Light Emitting Diode）ディスプレイなどのフラットパネルディスプレイや、電子ペーパー、ＣＲＴ（Cathode Ray Tube）ディスプレイなどを用いることができる。ディスプレイ１００は、ディスプレイ側表示部１１０、ディスプレイ側通信部１２０、ディスプレイ側記憶部１３０、およびディスプレイ側制御部１４０を有する。
【００２４】
ディスプレイ側表示部１１０は、画像情報に基づく画像を表示するモジュールである。ディスプレイ側表示部１１０に表示される画像は、静止画像であってもよく、動画像であってもよい。ディスプレイ１００が液晶ディスプレイの場合、ディスプレイ側表示部１１０は、液晶パネルとバックライトユニットと偏光板と拡散板と保護ガラスとを含む。
【００２５】
ディスプレイ側制御部１４０は、ディスプレイ側表示部１１０、ディスプレイ側記憶部１３０およびディスプレイ側通信部１２０を制御するモジュールであり、たとえば、ＣＰＵ（Central Processing Unit）などである。ディスプレイ側記憶部１３０は、ディスプレイ側制御部１４０によって実行される各種プログラムを表す情報およびディスプレイ１００に表示する画像の基になる情報である画像情報などを、不揮発的に記憶するＲＯＭ（Read Only Memory）などの不揮発性メモリと、一時的に格納するＲＡＭ（Random Access Memory）などの揮発性メモリとを含む。
【００２６】
ディスプレイ側通信部１２０は、情報処理装置２００および他のディスプレイ１００とのデータ通信を行うための有線通信部であり、たとえば、ＲＳ２３２Ｃなどの規格に準拠した通信ケーブルを接続するためのインターフェイスである。本実施形態では、ディスプレイ側通信部１２０は、出力用コネクタ１２１と入力用コネクタ１２２との２つのコネクタを含んでおり、１つの通信ケーブルは、一のディスプレイ１００の出力用コネクタ１２１と、他のディスプレイ１００の入力用コネクタ１２２とに、接続される。
【００２７】
ディスプレイ１００ａ、ディスプレイ１００ｂ、ディスプレイ１００ｃ、ディスプレイ１００ｄ、ディスプレイ１００ｅ、ディスプレイ１００ｆ、ディスプレイ１００ｇ、ディスプレイ１００ｈ、およびディスプレイ１００ｉは、ディスプレイ１００ａを最上流のディスプレイ１００として、この順序で直列的に接続される。このとき、通信ケーブルの一方端が上流側のディスプレイ１００の出力用コネクタ１２１に接続され、他方端が下流側のディスプレイ１００の入力用コネクタ１２２に接続される。なお、ディスプレイ１００と情報処理装置２００との間においては、最上流のディスプレイ１００であるディスプレイ１００のａの入力用コネクタ１２２と、後述する情報処理装置２００の有線通信部２２１とに、通信ケーブルが接続される。
【００２８】
このように複数の装置が直列的に接続される接続方式を、デイジーチェーン接続と称する。デイジーチェーン接続では、上流側のディスプレイ１００の入力用コネクタ１２２から該上流側のディスプレイ１００に入力された情報は、該上流側のディスプレイ１００の出力用コネクタ１２１から出力され、下流側のディスプレイ１００の入力用コネクタ１２２から該下流側のディスプレイ１００に入力される。
【００２９】
なお、本発明の他の実施形態としては、ディスプレイ１００同士が無線通信を行うように構成されてもよいし、ディスプレイ１００同士がいわゆるスター接続によって接続されてもよい。ここで、スター接続とは、中心となる装置に他の装置が接続され、中心となる装置から他の装置へ一括して情報が伝達される接続方式である。
【００３０】
本実施形態では、各ディスプレイ１００は、３行３列のマトリクス状に配置される。最上流のディスプレイ１００ａは３行目の３列目に配置され、ディスプレイ１００ｂは３行目の２列目に配置され、ディスプレイ１００ｃは３行目の１列目に配置され、ディスプレイ１００ｄは２行目の３列目に配置され、ディスプレイ１００ｅは２行目の２列目に配置され、ディスプレイ１００ｆは２行目の１列目に配置され、ディスプレイ１００ｇは１行目の３列目に配置され、ディスプレイ１００ｈは１行目の２列目に配置され、ディスプレイ１００ｉは１行目の１列目に配置される。なお、各ディスプレイ１００の配置は、３行３列のマトリクス状に限られず適宜設定可能であり、たとえば、９行１列のようなライン状であってもよい。
【００３１】
図３は、情報処理装置２００の構成を示すブロック図である。情報処理装置２００としては、ＰＣ（Personal Computer）などを用いることができる。情報処理装置２００は、情報処理装置側記憶部２１０、情報処理装置側通信部２２０、および情報処理装置側制御部２３０を有する。情報処理装置側制御部２３０は、情報処理装置側記憶部２１０および情報処理装置側通信部２２０を制御するモジュールであり、たとえば、ＣＰＵなどである。情報処理装置側記憶部２１０は、情報処理装置側制御部２３０によって実行される各種プログラムを表す情報および画像情報などを、不揮発的に記憶するＲＯＭなどの不揮発性メモリと、一時的に格納するＲＡＭなどの揮発性メモリとを含む。
【００３２】
また、情報処理装置側記憶部２１０は、マルチディスプレイ情報を記憶する。マルチディスプレイ情報は、ディスプレイ数情報、配置情報、表示中画像情報、および初期画像情報を含む。ディスプレイ数情報は、マルチディスプレイシステム１０００を構成するディスプレイ１００の数を示す情報であり、本実施形態では９となる。配置情報は、マルチディスプレイシステム１０００を構成する各ディスプレイ１００の配置を示す情報であり、たとえば、３行目の３列目に配置されるディスプレイ１００ａについては（３，３）となり、２行目の３列目に配置されるディスプレイ１００ｄについては（２，３）となる。また、配置情報には、ラインまたはマトリクス全体の構成を示す情報である構成情報が含まれていてもよい。たとえば、各ディスプレイ１００が３行３列のマトリクス状に配置される場合、構成情報は［３，３］となる。表示中画像情報は、各ディスプレイ１００に表示中の画像の基になる画像情報である。初期画像情報は、後述するリセット状態となったときに、各ディスプレイ１００に表示される画像の基になる画像情報である。
【００３３】
情報処理装置側通信部２２０は、ディスプレイ１００とのデータ通信を行うための有線通信部２２１と、携帯端末装置３００とのデータ通信を行うための無線通信部２２２とを含む。有線通信部２２１は、たとえば、ＲＳ２３２Ｃなどの規格に準拠した通信ケーブルを接続するためのインターフェイスである。無線通信部２２２は、たとえば、ＩｒＤＡなどの規格に準拠した赤外線送受信部である。なお、本発明の他の実施形態としては、情報処理装置２００とディスプレイ１００とが無線通信を行うように構成されてもよいし、情報処理装置２００と携帯端末装置３００とが有線通信を行うように構成されてもよい。
【００３４】
このように構成される各ディスプレイ１００および情報処理装置２００を含むマルチディスプレイシステム１０００では、情報処理装置側制御部２３０が、情報処理装置側記憶部２１０に記憶される画像情報を、有線通信部２２１およびディスプレイ側通信部１２０を介して各ディスプレイ１００へ送信し、情報処理装置２００から送信されてきた画像情報に基づいてディスプレイ側制御部１４０がディスプレイ側表示部１１０を制御することで該ディスプレイ側表示部１１０に画像を表示させる。たとえば、１つの画像をすべてのディスプレイ１００に亘って表示する表示態様の場合、該画像を３行３列のマトリクス状に等分割して分割前のサイズまでそれぞれ拡大した画像を表す画像情報が、情報処理装置２００から各ディスプレイ１００へ送信され、各ディスプレイ１００は該画像情報に基づいて、等分割して拡大された画像をそれぞれ表示する。
【００３５】
マルチディスプレイシステム１０００は、さらに携帯端末装置３００を含んでいる。図４は、携帯端末装置３００の外観図である。図５は、携帯端末装置３００の構成を示すブロック図である。携帯端末装置３００は、タッチパネル式表示部３１０、携帯端末装置側通信部３２０、携帯端末装置側制御部３３０、携帯端末装置側記憶部３４０、電源ボタン３５０、およびリセットボタン３６０を有する。携帯端末装置３００の寸法は、長手方向長さが２５ｃｍ〜３２ｃｍ程度であり、幅が１８ｃｍ〜２３ｃｍ程度であり、厚さが１．２ｃｍ〜１．５ｃｍ程度である。また、携帯端末装置３００の重量は、３５０ｇ〜７００ｇ程度である。
【００３６】
タッチパネル式表示部３１０としては、抵抗膜方式や静電容量方式のタッチパネル装置を用いることができる。タッチパネル式表示部３１０は、タッチパネル３１１と表示パネル３１２と位置検出部３１３とを含む。表示パネル３１２は、画像を表示するモジュールであり、たとえば、Ａ４サイズやＡ５サイズの表示領域を有する。タッチパネル３１１は、表示パネル３１２に対向して設けられる。位置検出部３１３は、タッチパネル３１１上のタッチ操作された位置を検出して、携帯端末装置側制御部３３０にそのタッチ操作された位置を示すタッチ位置情報を出力する。
【００３７】
携帯端末装置側制御部３３０は、タッチパネル式表示部３１０、携帯端末装置側通信部３２０、および携帯端末装置側記憶部３４０を制御するモジュールであり、たとえば、ＣＰＵなどである。携帯端末装置側記憶部３４０は、携帯端末装置側制御部３３０によって実行される各種プログラムを表す情報および画像情報などを、不揮発的に記憶するＲＯＭなどの不揮発性メモリと、一時的に格納するＲＡＭなどの揮発性メモリとを含む。携帯端末装置側通信部３２０は、情報処理装置２００とのデータ通信を行うための無線通信部であり、たとえば、ＩｒＤＡなどの規格に準拠した赤外線送受信部である。
【００３８】
電源ボタン３５０は、電源が切断されている状態の携帯端末装置３００に電源を投入するためのボタンであり、この状態のときに電源ボタン３５０が押下されると携帯端末装置３００に電源が投入される。また電源ボタン３５０は、電源が投入されている状態の携帯端末装置３００から電源を切断するためのボタンであり、この状態のときに電源ボタン３５０が押下されると携帯端末装置３００から電源が切断される。
【００３９】
リセットボタン３６０は、各ディスプレイ１００の表示状態をリセット状態にするためのボタンである。携帯端末装置３００に電源が投入されている状態のときにリセットボタン３６０が押下されると、各ディスプレイ１００はリセット状態になる。より詳細には、リセットボタン３６０が押下されると、携帯端末装置側制御部３３０は、リセット指示情報を生成し、情報処理装置２００へ送信する。情報処理装置側制御部２３０は、リセット指示情報を受信すると、各ディスプレイ１００に、各ディスプレイ１００に対応する初期画像情報をそれぞれ送信する。各ディスプレイ１００のディスプレイ側制御部１４０は、初期画像情報を受信すると、リセット状態と判断し、初期画像情報に基づく画像をディスプレイ側表示部１１０に表示させる。
【００４０】
このように構成される携帯端末装置３００は、各ディスプレイ１００に表示される画像を変更するためのリモートコントローラである。以下に、携帯端末装置３００を用いた画像変更処理について説明する。
【００４１】
図６は、マルチディスプレイシステム１０００における画像変更処理を説明するためのフローチャートである。図６（ａ）は、情報処理装置２００による処理を示し、図６（ｂ）は、携帯端末装置３００による処理を示す。情報処理装置２００による処理は、ステップＡ１、ステップＡ２、ステップＡ３の順に進み、携帯端末装置３００による処理は、ステップＢ１、ステップＢ２、ステップＢ３、ステップＢ４の順に進む。
【００４２】
情報処理装置２００は、電源が投入されると、ステップＡ１において、マルチディスプレイ情報を取得し、情報処理装置側記憶部２１０に記憶する。たとえば、情報処理装置２００は、接続されているディスプレイ１００の総数を検出し、ディスプレイ数情報として取得および記憶するとともに、各ディスプレイ１００に対して、上流側から「１」〜「９」までの識別番号を割り当てる。割り当てられた識別番号は、各ディスプレイ１００に記憶される。また、情報処理装置２００には、ユーザなどによって、配置情報、画像情報、および初期画像情報が入力および記憶される。各配置情報は、各識別番号と関連付けられて記憶される。
【００４３】
携帯端末装置３００は、電源ボタン３５０が押下されて電源が投入されると、ステップＢ１において、電源が投入されたことを示す電源投入情報を、情報処理装置２００へ送信する。
【００４４】
情報処理装置２００は、電源投入情報を受信すると、ステップＡ２において、情報処理装置側制御部２３０によって、情報処理装置側記憶部２１０に記憶されているマルチディスプレイ情報を、無線通信部２２２および携帯端末装置側通信部３２０を介して、携帯端末装置３００へ送信する。また、このとき、情報処理装置２００は、各ディスプレイ１００に、各ディスプレイ１００に対応する初期画像情報をそれぞれ送信し、各初期画像情報に基づく画像をディスプレイ側表示部１１０に表示させる。
【００４５】
携帯端末装置３００は、マルチディスプレイ情報を受信すると、ステップＢ２において、該マルチディスプレイ情報を携帯端末装置側記憶部３４０に記憶する。そして、携帯端末装置側制御部３３０によって、記憶したマルチディスプレイ情報に基づいてタッチパネル式表示部３１０を制御することで、該タッチパネル式表示部３１０に、マルチディスプレイシステム１０００を構成するディスプレイ１００の数と同一の数の操作キー画像を表示させる。本実施形態では、９個の操作キー画像が表示される。操作キー画像の具体的な表示態様については後述する。
【００４６】
携帯端末装置３００は、操作キー画像に対するタッチ操作が行われると、ステップＢ３において、携帯端末装置側制御部３３０によって、該タッチ操作に対応する操作情報を生成する。操作情報は、タッチ位置情報と、該タッチ位置情報が示す位置へのタッチ操作の開始時刻および終了時刻との組合せである。
【００４７】
携帯端末装置３００は、操作情報を生成すると、ステップＢ４において、携帯端末装置側制御部３３０によって、該操作情報に基づいて、変更指示情報を生成し、生成した変更指示情報を、携帯端末装置側通信部３２０および無線通信部２２２を介して、情報処理装置２００へ送信する。変更指示情報は、ディスプレイ側表示部１１０に表示中の画像を変更させる指示を表す情報であり、本実施形態では複数種類存在する。
【００４８】
情報処理装置２００は、変更指示情報を受信すると、ステップＡ３において、情報処理装置側制御部２３０によって、該変更指示情報に基づいて、表示中の画像とは異なる画像を表す画像情報を、ディスプレイ１００へ送信する。そして、ディスプレイ側制御部１４０は、送信されてきた画像情報に基づいてディスプレイ側表示部１１０に画像を表示させることで、直前までに表示されていた画像とは異なる画像を表示させる。
【００４９】
ここで、操作キー画像の具体的な表示態様について説明する。図７、図８、および図９は、操作キー画像の具体例を示す図である。
【００５０】
図７（ａ）は携帯端末装置３００の外観を示し、図７（ｂ）は各ディスプレイ１００の外観を示している。図７（ｂ）に示すように、マルチディスプレイシステム１０００を構成するディスプレイ１００の数は９個であるので、ディスプレイ数情報は９である。図７（ａ）の場合では、携帯端末装置側制御部３３０はディスプレイ数情報に基づいてタッチパネル式表示部３１０を制御し、その結果、タッチパネル式表示部３１０には、９個の矩形の操作キー画像が表示される。なお、各操作キー画像の内部に表示されている数字は、各ディスプレイ１００の識別番号である。
【００５１】
図８（ａ）は携帯端末装置３００の外観を示し、図８（ｂ）は各ディスプレイ１００の外観を示している。図８（ｂ）に示すように、マルチディスプレイシステム１０００を構成する各ディスプレイ１００は３行３列のマトリクス状に配置される。したがって、ディスプレイ数情報は９であり、配置情報に含まれる構成情報は［３，３］である。図８（ａ）の場合では、携帯端末装置側制御部３３０はディスプレイ数情報および配置情報に基づいてタッチパネル式表示部３１０を制御し、その結果、タッチパネル式表示部３１０には、９個の矩形の操作キー画像が、マルチディスプレイシステム１０００を構成する各ディスプレイ１００の配置と同一の配置で表示される。
【００５２】
図９（ａ）は携帯端末装置３００の外観を示し、図９（ｂ）は各ディスプレイ１００の外観を示している。図９（ｂ）に示すように、マルチディスプレイシステム１０００を構成する各ディスプレイ１００は３行３列のマトリクス状に配置される。したがって、ディスプレイ数情報は９であり、配置情報に含まれる構成情報は［３，３］である。図９（ａ）の場合では、携帯端末装置側制御部３３０はディスプレイ数情報および配置情報に基づいてタッチパネル式表示部３１０を制御し、その結果、タッチパネル式表示部３１０には、９個の矩形の操作キー画像が、マルチディスプレイシステム１０００を構成する各ディスプレイ１００の配置と同一の配置で表示される。また、図９の場合では、携帯端末装置側制御部３３０は表示中画像情報に基づいてタッチパネル式表示部３１０を制御し、その結果、各操作キー画像の内部には、各ディスプレイ１００に表示中の画像を縮小した画像が表示される。
【００５３】
次に、変更指示情報について説明する。上述したように、本実施形態における変更指示情報は複数種類存在する。そして、各変更指示情報に対応する操作情報が存在し、変更指示情報と操作情報との対応関係は、対応関係情報として、携帯端末装置側記憶部３４０に予め記憶されている。
【００５４】
本実施形態における変更指示情報には、入替指示情報と、拡大指示情報と、縮小指示情報と、非表示指示情報と、全画面表示指示情報と、次画像表示指示情報と、前画像表示指示情報とが存在する。
【００５５】
入替指示情報は、２つのディスプレイ１００に表示中の画像を入れ替える指示に対応する変更指示情報である。以下では、図１０および図１１を用いて、入替指示情報について説明する。
【００５６】
図１０は、入替指示情報について説明するための図であり、操作キー画像の表示態様は図８（ａ）の場合であるとする。図１０（ａ）は入替指示情報に対応するタッチ操作を表す図であり、図１０（ｂ）は入替指示情報が情報処理装置２００に送信される前の各ディスプレイ１００の外観図であり、図１０（ｃ）は入替指示情報が情報処理装置２００に送信された後の各ディスプレイ１００の外観図である。
【００５７】
図１１は、２つのディスプレイ１００に表示中の画像を入れ替えるときの処理を示すフローチャートである。図１１（ａ）は、情報処理装置２００による処理を示し、図１１（ｂ）は、携帯端末装置３００による処理を示す。情報処理装置２００による処理は、ステップＣ１、ステップＣ２の順に進み、携帯端末装置３００による処理は、ステップＤ１、ステップＤ２、ステップＤ３の順に進む。
【００５８】
図１０（ａ）に示すように、一の操作キー画像を始点として開始し、他の操作キー画像を終点として終了する１度のタッチ操作が行われると、携帯端末装置３００は、ステップＤ１において、該タッチ操作を表す操作情報を生成する。
【００５９】
携帯端末装置３００は、ステップＤ２において、携帯端末装置側記憶部３４０に予め記憶される対応関係情報に基づいて、ステップＤ１で生成された操作情報に対応する情報である入替指示情報を生成する。
【００６０】
携帯端末装置３００は、ステップＤ３において、入替指示情報を情報処理装置２００へ送信する。また、ステップＤ１で生成された操作情報に基づいて、タッチ操作の始点となった操作キー画像の配置を示すキー配置情報およびタッチ操作の終点となった操作キー画像の配置を示すキー配置情報を生成し、２つのキー配置情報を情報処理装置２００へ送信する。たとえば、図１０（ａ）の場合では、タッチ操作の始点に対応するキー配置情報は（１，１）であり、タッチ操作の終点に対応するキー配置情報は（２，２）である。
【００６１】
情報処理装置２００は、図１０（ｂ），（ｃ）に示すように、入替指示情報およびキー配置情報を受信すると、ステップＣ１において、タッチ操作の始点に対応するキー配置情報が示す配置状態と同一の配置状態にあるディスプレイ１００に表示されている画像と、タッチ操作の終点に対応するキー配置情報が示す配置状態と同一の配置状態にあるディスプレイ１００に表示されている画像とを入れ替える。図１０（ｂ）の場合では、タッチ操作の始点に対応するキー配置情報が示す配置状態と同一の配置状態にあるディスプレイ１００はディスプレイ１００ｉであり、タッチ操作の終点に対応するキー配置情報が示す配置状態と同一の配置状態にあるディスプレイ１００は、ディスプレイ１００ｅである。
【００６２】
ステップＣ１では、より詳細には、図１０（ｂ）においてディスプレイ１００ｉに表示されている画像の基になる画像情報を、ディスプレイ１００ｅへ送信し、図１０（ｂ）においてディスプレイ１００ｅに表示されている画像の基になる画像情報を、ディスプレイ１００ｉへ送信する。これによって、図１０（ｃ）に示すように、ディスプレイ１００ｉに表示されている画像と、ディスプレイ１００ｅに表示されている画像とが入れ替わる。
【００６３】
最後に、情報処理装置２００は、ステップＣ２において、情報処理装置側記憶部２１０に記憶されている表示中画像情報を更新する。
【００６４】
以下では、図１２および図１３を用いて、拡大指示情報について説明する。拡大指示情報は、ディスプレイ１００に表示中の画像を拡大させる指示に対応する変更指示情報である。
【００６５】
図１２は、拡大指示情報について説明するための図であり、操作キー画像の表示態様は、図８（ａ）の場合であるとする。図１２（ａ）は拡大指示情報に対応するタッチ操作を表す図であり、図１２（ｂ）は拡大指示情報が情報処理装置２００に送信される前の各ディスプレイ１００の外観図であり、図１２（ｃ）は拡大指示情報が情報処理装置２００に送信された後の各ディスプレイ１００の外観図である。
【００６６】
図１３は、ディスプレイ１００に表示中の画像を拡大させるときの処理を示すフローチャートである。図１３（ａ）は、情報処理装置２００による処理を示し、図１３（ｂ）は、携帯端末装置３００による処理を示す。情報処理装置２００による処理は、ステップＥ１、ステップＥ２の順に進み、携帯端末装置３００による処理は、ステップＦ１、ステップＦ２、ステップＦ３の順に進む。
【００６７】
図１２（ａ）に示すように、始点と終点とが同じ操作キー画像内であり、なぞられた複数の操作キー画像がマトリクスの周辺部を形成し、かつ、マトリクスの周辺部をなぞる向きが左回りである１度のタッチ操作が行われると、携帯端末装置３００は、ステップＦ１において、該タッチ操作を表す操作情報を生成する。
【００６８】
携帯端末装置３００は、ステップＦ２において、携帯端末装置側記憶部３４０に予め記憶される対応関係情報に基づいて、ステップＦ１で生成された操作情報に対応する情報である拡大指示情報を生成する。
【００６９】
携帯端末装置３００は、ステップＦ３において、拡大指示情報を情報処理装置２００へ送信する。また、ステップＦ１で生成された操作情報に基づいて、タッチ操作の始点となった操作キー画像の配置を示すキー配置情報と、なぞられた操作キー画像の配置を示すキー配置情報とを生成し、各キー配置情報を情報処理装置２００へ送信する。たとえば、図１２（ａ）の場合では、タッチ操作の始点に対応するキー配置情報は（１，１）であり、なぞられた操作キー画像に対応するキー配置情報は（１，１）、（２，１）、（２，２）、（１，２）である。
【００７０】
情報処理装置２００は、図１２（ｂ），（ｃ）に示すように、拡大指示情報およびキー配置情報を受信すると、ステップＥ１において、タッチ操作の始点に対応するキー配置情報が示す配置状態と同一の配置状態にあるディスプレイ１００に表示されている画像を、なぞられた操作キー画像を周辺部とするマトリクスに含まれるすべての操作キー画像に対応するキー配置情報が示す配置状態と同一の配置状態にあるすべてのディスプレイ１００に亘って、拡大して表示させる。図１２（ｂ）の場合では、タッチ操作の始点に対応するキー配置情報が示す配置状態と同一の配置状態にあるディスプレイ１００はディスプレイ１００ｉであり、なぞられた操作キー画像を周辺部とするマトリクスに含まれるすべての操作キー画像に対応するキー配置情報が示す配置状態と同一の配置状態にあるすべてのディスプレイ１００は、ディスプレイ１００ｅ，１００ｆ，１００ｈ，１００ｉである。
【００７１】
ステップＥ１では、より詳細には、図１２（ｂ）においてディスプレイ１００ｉに表示されている画像を２行２列のマトリクス状に等分割して分割前のサイズまでそれぞれ拡大した画像を表す画像情報を、ディスプレイ１００ｅ，１００ｆ，１００ｈ，１００ｉへ送信する。これによって、図１２（ｃ）に示すように、図１２（ｂ）においてディスプレイ１００ｉに表示されていた画像が、ディスプレイ１００ｅ，１００ｆ，１００ｈ，１００ｉに亘って拡大して表示される。
【００７２】
最後に、情報処理装置２００は、ステップＥ２において、情報処理装置側記憶部２１０に記憶されている表示中画像情報を更新する。なお、情報処理装置２００は、拡大表示を行う前の状態において各ディスプレイ１００に表示されていた画像を表す拡大前画像情報を、後述する縮小指示情報を受信したときのために保持している。また、拡大表示が行われている間、携帯端末装置３００は、後述する縮小指示情報以外の変更指示情報を生成しない。
【００７３】
以下では、図１４および図１５を用いて、非表示指示情報について説明する。非表示指示情報は、ディスプレイ１００に表示中の画像を黒画像に入れ替える指示、すなわち非表示状態にする指示に対応する変更指示情報である。
【００７４】
図１４は、非表示指示情報について説明するための図であり、操作キー画像の表示態様は、図８（ａ）の場合であるとする。図１４（ａ）は非表示指示情報に対応するタッチ操作を表す図であり、図１４（ｂ）は非表示指示情報が情報処理装置２００に送信される前の各ディスプレイ１００の外観図であり、図１４（ｃ）は非表示指示情報が情報処理装置２００に送信された後の各ディスプレイ１００の外観図である。
【００７５】
図１５は、ディスプレイ１００に表示中の画像を黒画像に入れ替えるときの処理を示すフローチャートである。図１５（ａ）は、情報処理装置２００による処理を示し、図１５（ｂ）は、携帯端末装置３００による処理を示す。情報処理装置２００による処理は、ステップＧ１、ステップＧ２の順に進み、携帯端末装置３００による処理は、ステップＨ１、ステップＨ２、ステップＨ３の順に進む。
【００７６】
図１５（ａ）に示すように、始点と終点とが同じ操作キー画像内であり、１つの操作キー画像のみがなぞられる１度のタッチ操作が行われると、携帯端末装置３００は、ステップＨ１において、該タッチ操作を表す操作情報を生成する。
【００７７】
携帯端末装置３００は、ステップＨ２において、ステップＨ１で生成された操作情報が示すタッチ操作の軌跡がＶ字状であるか否かを判定し、Ｖ字状である場合には、携帯端末装置側記憶部３４０に予め記憶される対応関係情報に基づいて、該操作情報に対応する情報である非表示指示情報を生成する。Ｖ字状であるか否かの判定は、携帯端末装置側記憶部３４０に予め記憶される基本Ｖ字軌跡情報との照合によって行われる。
【００７８】
携帯端末装置３００は、ステップＨ３において、非表示指示情報を情報処理装置２００へ送信する。また、ステップＨ１で生成された操作情報に基づいて、タッチ操作の始点となった操作キー画像の配置を示すキー配置情報を生成し、該キー配置情報を情報処理装置２００へ送信する。たとえば、図１４（ａ）の場合では、タッチ操作の始点に対応するキー配置情報は（２，２）である。
【００７９】
情報処理装置２００は、図１４（ｂ），（ｃ）に示すように、非表示指示情報およびキー配置情報を受信すると、ステップＧ１において、タッチ操作の始点に対応するキー配置情報が示す配置状態と同一の配置状態にあるディスプレイ１００を非表示状態にする。図１４（ｂ）の場合では、タッチ操作の始点に対応するキー配置情報が示す配置状態と同一の配置状態にあるディスプレイ１００はディスプレイ１００ｅである。
【００８０】
ステップＧ１では、より詳細には、全面に黒画像を表示させる指示を表す情報を、ディスプレイ１００ｅへ送信する。これによって、図１４（ｃ）に示すように、図１４（ｂ）においてディスプレイ１００ｅに表示されていた画像が黒画像と入れ替わる。なお、黒画像を表示させる代わりにディスプレイ１００ｅの電源を切断することで、ディスプレイ１００ｅを非表示状態にしてもよい。
【００８１】
最後に、情報処理装置２００は、ステップＧ２において、情報処理装置側記憶部２１０に記憶されている表示中画像情報を更新する。なお、情報処理装置２００は、非表示状態にする前においてディスプレイ１００ｅに表示されていた画像を表す非表示前画像情報を保持しており、ディスプレイ１００ｅに対応する非表示指示情報を再度受信した場合には、該非表示前画像情報に基づいて、非表示状態にする前においてディスプレイ１００ｅに表示されていた画像を表示させる。
【００８２】
以下では、図１６および図１７を用いて、全画面表示指示情報について説明する。全画面表示指示情報は、１つのディスプレイ１００に表示中の画像をすべてのディスプレイ１００に亘って拡大して表示させる指示に対応する変更指示情報である。
【００８３】
図１６は、全画面表示指示情報について説明するための図であり、操作キー画像の表示態様は、図８（ａ）の場合であるとする。図１６（ａ）は全画面表示指示情報に対応するタッチ操作を表す図であり、図１６（ｂ）は全画面表示指示情報が情報処理装置２００に送信される前の各ディスプレイ１００の外観図であり、図１６（ｃ）は全画面表示指示情報が情報処理装置２００に送信された後の各ディスプレイ１００の外観図である。
【００８４】
図１７は、１つのディスプレイ１００に表示中の画像をすべてのディスプレイ１００に亘って拡大して表示させるときの処理を示すフローチャートである。図１７（ａ）は、情報処理装置２００による処理を示し、図１７（ｂ）は、携帯端末装置３００による処理を示す。情報処理装置２００による処理は、ステップＩ１、ステップＩ２の順に進み、携帯端末装置３００による処理は、ステップＪ１、ステップＪ２、ステップＪ３の順に進む。
【００８５】
図１６（ａ）に示すように、１つの操作キー画像内において所定の短い時間内に２度のタッチ操作があり、１度目のタッチ操作と２度目のタッチ操作との両方において、タッチ操作の始点と終点との間の距離が所定の小さな値以下であるとき、携帯端末装置３００は、ステップＪ１において、該２度のタッチ操作を表す操作情報を生成する。
【００８６】
携帯端末装置３００は、ステップＪ２において、携帯端末装置側記憶部３４０に予め記憶される対応関係情報に基づいて、ステップＪ１で生成された操作情報に対応する情報である全画面表示指示情報を生成する。
【００８７】
携帯端末装置３００は、ステップＪ３において、全画面表示指示情報を情報処理装置２００へ送信する。また、ステップＪ１で生成された操作情報に基づいて、１度目のタッチ操作の始点となった操作キー画像の配置を示すキー配置情報を情報処理装置２００へ送信する。たとえば、図１６（ａ）の場合では、１度目のタッチ操作の始点に対応するキー配置情報は（１，１）である。
【００８８】
情報処理装置２００は、図１６（ｂ），（ｃ）に示すように、全画面表示指示情報およびキー配置情報を受信すると、ステップＩ１において、１度目のタッチ操作の始点に対応するキー配置情報が示す配置状態と同一の配置状態にあるディスプレイ１００に表示されている画像を、すべてのディスプレイ１００に亘って拡大して表示させる。図１６（ｂ）の場合では、１度目のタッチ操作の始点に対応するキー配置情報が示す配置状態と同一の配置状態にあるディスプレイ１００はディスプレイ１００ｉである。
【００８９】
ステップＩ１では、より詳細には、図１６（ｂ）においてディスプレイ１００ｉに表示されている画像を３行３列のマトリクス状に等分割して分割前のサイズまでそれぞれ拡大した画像を表す画像情報を、すべてのディスプレイ１００へ送信する。これによって、図１６（ｃ）に示すように、図１６（ｂ）においてディスプレイ１００ｉに表示されていた画像が、すべてのディスプレイ１００に亘って拡大して表示される。
【００９０】
最後に、情報処理装置２００は、ステップＩ２において、情報処理装置側記憶部２１０に記憶されている表示中画像情報を更新する。なお、情報処理装置２００は、全画面表示を行う前の状態において各ディスプレイ１００に表示されていた画像を表す全画面表示前画像情報を、後述する縮小指示情報、次画像表示指示情報、または前画像表示指示情報を受信したときのために保持している。また、全画面表示が行われている間、携帯端末装置３００は、後述する縮小指示情報、次画像表示指示情報、または前画像表示指示情報以外の変更指示情報を生成しない。
【００９１】
以下では、図１８および図１９を用いて、次画像表示指示情報について説明する。次画像表示指示情報は、全画面表示中にタッチ操作が行われたときに生成される変更指示情報であって、全画面表示中の画像の基になった画像を表示していたディスプレイ１００よりも１つ上流側のディスプレイ１００に、全画面表示状態になる直前に表示されていた画像（次画像）を、全画面表示させる指示に対応する変更指示情報である。
【００９２】
図１８は、次画像表示指示情報について説明するための図であり、操作キー画像の表示態様は、図８（ａ）の場合であるとする。図１８（ａ）は次画像表示指示情報に対応するタッチ操作を表す図であり、図１８（ｂ）は次画像表示指示情報が情報処理装置２００に送信される前の各ディスプレイ１００の外観図であり、図１８（ｃ）は次画像表示指示情報が情報処理装置２００に送信された後の各ディスプレイ１００の外観図である。
【００９３】
図１９は、次画像を全画面表示させるときの処理を示すフローチャートである。図１９（ａ）は、情報処理装置２００による処理を示し、図１９（ｂ）は、携帯端末装置３００による処理を示す。情報処理装置２００による処理は、ステップＫ１、ステップＫ２の順に進み、携帯端末装置３００による処理は、ステップＬ１、ステップＬ２、ステップＬ３の順に進む。
【００９４】
全画面表示状態になる前は、各ディスプレイ１００には、図１６（ｂ）のように画像が表示されていたものとする。図１８（ｂ）に示すような全画面表示状態のときに、図１８（ａ）に示すように、一の操作キー画像を始点として開始し、その操作キー画像よりも左側の操作キー画像を終点として終了する１度のタッチ操作が行われると、携帯端末装置３００は、ステップＬ１において、該タッチ操作を表す操作情報を生成する。
【００９５】
携帯端末装置３００は、ステップＬ２において、携帯端末装置側記憶部３４０に予め記憶される対応関係情報に基づいて、ステップＬ１で生成された操作情報に対応する情報である次画像表示指示情報を生成する。そして、携帯端末装置３００は、ステップＬ３において、次画像表示指示情報を情報処理装置２００へ送信する。
【００９６】
情報処理装置２００は、図１６（ｂ）および図１８（ｂ），（ｃ）に示すように、次画像表示指示情報を受信すると、ステップＫ１において、次画像を全画面表示させる。図１６（ｂ）より、図１８（ｂ）において全画面表示中の画像の基になった画像を表示していたディスプレイ１００はディスプレイ１００ｉであり、該ディスプレイ１００ｉよりも１つ上流側のディスプレイ１００はディスプレイ１００ｈである。したがって、次画像は、図１６（ｂ）においてディスプレイ１００ｈに表示されている画像である。なお、次画像表示指示情報および後述する前画像表示指示情報に関しては、ディスプレイ１００ｉが、ディスプレイ１００ａよりも１つ上流側のディスプレイ１００であるとみなす。
【００９７】
ステップＫ１では、より詳細には、図１６（ｂ）に対応する全画面表示前画像情報から、図１６（ｂ）においてディスプレイ１００ｈに表示されている画像を３行３列のマトリクス状に等分割して分割前のサイズまでそれぞれ拡大した画像を表す画像情報を生成し、すべてのディスプレイ１００へ送信する。これによって、図１８（ｃ）に示すように、図１６（ｂ）においてディスプレイ１００ｈに表示されていた画像（次画像）が全画面表示される。
【００９８】
最後に、情報処理装置２００は、ステップＫ２において、情報処理装置側記憶部２１０に記憶されている表示中画像情報を更新する。
【００９９】
以下では、図２０および図２１を用いて、前画像表示指示情報について説明する。前画像表示指示情報は、全画面表示中にタッチ操作が行われたときに生成される変更指示情報であって、全画面表示中の画像の基になった画像を表示していたディスプレイ１００よりも１つ下流側のディスプレイ１００に、全画面表示状態になる直前に表示されていた画像（前画像）を、全画面表示させる指示に対応する変更指示情報である。
【０１００】
図２０は、前画像表示指示情報について説明するための図であり、操作キー画像の表示態様は、図８（ａ）の場合であるとする。図２０（ａ）は前画像表示指示情報に対応するタッチ操作を表す図であり、図２０（ｂ）は前画像表示指示情報が情報処理装置２００に送信される前の各ディスプレイ１００の外観図であり、図２０（ｃ）は前画像表示指示情報が情報処理装置２００に送信された後の各ディスプレイ１００の外観図である。
【０１０１】
図２１は、前画像を全画面表示させるときの処理を示すフローチャートである。図２１（ａ）は、情報処理装置２００による処理を示し、図２１（ｂ）は、携帯端末装置３００による処理を示す。情報処理装置２００による処理は、ステップＭ１、ステップＭ２の順に進み、携帯端末装置３００による処理は、ステップＮ１、ステップＮ２、ステップＮ３の順に進む。
【０１０２】
全画面表示状態になる前は、各ディスプレイ１００には、図１６（ｂ）のように画像が表示されていたものとする。図２０（ｂ）に示すような全画面表示状態のときに、図２０（ａ）に示すように、一の操作キー画像を始点として開始し、その操作キー画像よりも右側の操作キー画像を終点として終了する１度のタッチ操作が行われると、携帯端末装置３００は、ステップＮ１において、該タッチ操作を表す操作情報を生成する。
【０１０３】
携帯端末装置３００は、ステップＮ２において、携帯端末装置側記憶部３４０に予め記憶される対応関係情報に基づいて、ステップＮ１で生成された操作情報に対応する情報である前画像表示指示情報を生成する。そして、携帯端末装置３００は、ステップＮ３において、前画像表示指示情報を情報処理装置２００へ送信する。
【０１０４】
情報処理装置２００は、図１６（ｂ）および図２０（ｂ），（ｃ）に示すように、前画像表示指示情報を受信すると、ステップＭ１において、前画像を全画面表示させる。図１６（ｂ）より、図２０（ｂ）において全画面表示中の画像の基になった画像を表示していたディスプレイ１００はディスプレイ１００ｈであり、該ディスプレイ１００ｈよりも１つ下流側のディスプレイ１００はディスプレイ１００ｉである。したがって、前画像は、図１６（ｂ）においてディスプレイ１００ｉに表示されている画像である。
【０１０５】
ステップＭ１では、より詳細には、図１６（ｂ）に対応する全画面表示前画像情報から、図１６（ｂ）においてディスプレイ１００ｉに表示されている画像を３行３列のマトリクス状に等分割して分割前のサイズまでそれぞれ拡大した画像を表す画像情報を生成し、すべてのディスプレイ１００へ送信する。これによって、図２０（ｃ）に示すように、図１６（ｂ）においてディスプレイ１００ｉに表示されていた画像（前画像）が全画面表示される。
【０１０６】
最後に、情報処理装置２００は、ステップＭ２において、情報処理装置側記憶部２１０に記憶されている表示中画像情報を更新する。
【０１０７】
以下では、図２２および図２３を用いて、縮小指示情報について説明する。縮小指示情報は、拡大表示中または全画面表示中にタッチ操作されたときに生成される変更指示情報であって、ディスプレイ１００に表示中の画像を縮小させる指示に対応する変更指示情報である。
【０１０８】
図２２は、縮小指示情報について説明するための図であり、操作キー画像の表示態様は、図８（ａ）の場合であるとする。図２２（ａ）は縮小指示情報に対応するタッチ操作を表す図であり、図２２（ｂ）は縮小指示情報が情報処理装置２００に送信される前の各ディスプレイ１００の外観図であり、図２２（ｃ）は縮小指示情報が情報処理装置２００に送信された後の各ディスプレイ１００の外観図である。
【０１０９】
図２３は、ディスプレイ１００に表示中の画像を縮小させるときの処理を示すフローチャートである。図２３（ａ）は、情報処理装置２００による処理を示し、図２３（ｂ）は、携帯端末装置３００による処理を示す。情報処理装置２００による処理は、ステップＯ１、ステップＯ２の順に進み、携帯端末装置３００による処理は、ステップＰ１、ステップＰ２、ステップＰ３の順に進む。
【０１１０】
拡大表示状態（または全画面表示状態）になる前は、各ディスプレイ１００には、図１２（ｂ）のように画像が表示されていたものとする。図２２（ａ）に示すように、始点と終点とが同じ操作キー画像内であり、なぞられた複数の操作キー画像がマトリクスの周辺部を形成し、かつ、マトリクスの周辺部をなぞる向きが右回りである１度のタッチ操作が行われると、携帯端末装置３００は、ステップＰ１において、該タッチ操作を表す操作情報を生成する。
【０１１１】
携帯端末装置３００は、ステップＰ２において、携帯端末装置側記憶部３４０に予め記憶される対応関係情報に基づいて、ステップＰ１で生成された操作情報に対応する情報である縮小指示情報を生成する。そして、携帯端末装置３００は、ステップＰ３において、縮小指示情報を情報処理装置２００へ送信する。
【０１１２】
情報処理装置２００は、図２２（ｂ），（ｃ）に示すように、縮小指示情報を受信すると、ステップＯ１において、ディスプレイ１００に表示中の画像を縮小して表示させる。より詳細には、図１２（ｂ）に対応する拡大前画像情報（または全画面表示前画像情報）を、すべてのディスプレイ１００へ送信する。これによって、図２２（ｃ）に示すように、拡大表示を行う前の画像、すなわち縮小された画像が表示される。
【０１１３】
最後に、情報処理装置２００は、ステップＯ２において、情報処理装置側記憶部２１０に記憶されている表示中画像情報を更新する。
【０１１４】
以上では、各変更指示情報について、操作キー画像の表示態様が図８（ａ）の場合であるとして説明したけれども、図７（ａ）および図９（ａ）の場合であっても、同様の処理が行われる。ただし、図７（ａ）の場合では、操作キー画像がマトリクス状に配置されないので、携帯端末装置３００は、キー配置情報の代わりに各操作キー画像内の識別番号を送信する。また、図７（ａ）の場合、携帯端末装置３００は、拡大指示情報および縮小指示情報を生成しない。図９（ａ）の場合、携帯端末装置３００は、変更指示情報を生成するときに、操作キー画像内に表示される、各ディスプレイ１００に表示中の画像の縮小画像を、該変更指示情報に対応するように変化させる。たとえば、携帯端末装置３００は、変更指示情報が入替指示情報である場合、該入替指示情報に対応する２つの操作キー画像内に表示される縮小画像を入れ替える。
【０１１５】
このようなマルチディスプレイシステム１０００によれば、携帯端末装置３００のタッチパネル式表示部３１０には操作キー画像が表示され、該操作キー画像に対するタッチ操作が行われると、ディスプレイ１００に、該ディスプレイ１００に表示中の画像とは異なる画像が表示される。したがって、携帯端末装置３００を操作することで、各ディスプレイ１００に表示される画像を変更することができる。また、操作キー画像は、マルチディスプレイシステム１０００を構成するディスプレイ１００の数と同じ数表示されるので、各操作キー画像と各ディスプレイ１００とを１対１に対応させることができ、画像の変更に際して複雑な操作を必要とせず、携帯端末装置３００の使い勝手が良い。
【０１１６】
特に、図８（ａ）および図９（ａ）の場合のように、マルチディスプレイシステム１０００を構成する各ディスプレイ１００の配置と同一の配置で操作キー画像が表示される表示態様の場合、各ディスプレイ１００に対応する操作キー画像を、視覚的に容易に確認することができるので、携帯端末装置３００はより使い勝手が良い。
【０１１７】
さらに、図９（ａ）の場合のように、マルチディスプレイシステム１０００を構成する各ディスプレイ１００に表示中の画像を縮小した画像が各操作キー画像内に表示される表示態様の場合、各ディスプレイ１００に対応する操作キー画像を、視覚的により容易に確認することができるので、携帯端末装置３００はさらに使い勝手が良い。
【０１１８】
図９（ａ）の場合のような表示態様とするときには、変更指示情報を送信するための送信ボタンまたは送信キー画像を、携帯端末装置３００に設けるか表示させるとともに、送信ボタンが押下されるか送信キー画像がタッチ操作されるかしない限り、変更指示情報が情報処理装置２００に送信されないように、携帯端末装置３００を構成してもよい。上述したように、図９（ａ）の表示態様の場合、携帯端末装置３００は、変更指示情報を生成するときに、操作キー画像内の縮小画像を、該変更指示情報に対応するように変化させる。したがって、送信ボタン（送信キー画像）を有する携帯端末装置３００の場合は、送信ボタンが押下される（送信キー画像がタッチ操作される）まで変更指示情報は送信されないけれども、タッチパネル式表示部３１０の表示状態は該変更指示情報に基づいて変化しているので、該変更指示情報送信後に各ディスプレイ１００に表示される画像を、携帯端末装置３００で事前に確認することができ、使い勝手が良い。
【０１１９】
また本実施形態では、変更指示情報には、入替指示情報と、拡大指示情報と、縮小指示情報と、非表示指示情報と、全画面表示指示情報と、次画像表示指示情報と、前画像表示指示情報とが存在する。したがって、携帯端末装置３００を操作することで、各ディスプレイ１００に対して種々の操作を行うことができるので、携帯端末装置３００の使い勝手がより良い。
【０１２０】
本発明の他の実施形態としては、携帯端末装置３００は、情報処理装置２００と一体的に構成されていてもよい。情報処理装置２００と一体的に構成することで、情報処理装置２００と携帯端末装置３００との間のデータ通信に必要な無線通信部２２２および携帯端末装置側通信部３２０を省略することができる。また、制御部および記憶部を共通のものとすることができる。なお、情報処理装置２００は、ディスプレイ１００と一体的に構成されてもよい。
【０１２１】
また、本発明の他の実施形態としては、タッチパネル式表示部３１０の、操作キー画像が表示される領域以外の表示領域に、情報処理装置２００から受信した他の画像情報に基づく画像であって、各ディスプレイ１００に表示中の画像とは異なる画像を表示するように、携帯端末装置３００が構成されてもよい。さらに、その他の画像を始点として開始し、操作キー画像を終点として終了する１度のタッチ操作が行われることによって、該操作キー画像に対応するディスプレイ１００に該他の画像を表示するように、携帯端末装置３００および情報処理装置２００が構成されてもよい。
【符号の説明】
【０１２２】
１００，１００ａ，１００ｂ，１００ｃ，１００ｄ，１００ｅ，１００ｆ，１００ｇ，１００ｈ，１００ｉ  ディスプレイ
１１０  ディスプレイ側表示部
１２０  ディスプレイ側通信部
１３０  ディスプレイ側記憶部
１４０  ディスプレイ側制御部
２００  情報処理装置
２１０  情報処理装置側記憶部
２２０  情報処理装置側通信部
２３０  情報処理装置側制御部
３００  携帯端末装置
３１０  タッチパネル式表示部
３２０  携帯端末装置側通信部
３３０  携帯端末装置側制御部
３４０  携帯端末装置側記憶部
３５０  電源ボタン
３６０  リセットボタン
１０００  マルチディスプレイシステム
【図１】
2012108211.tif 000003
【図２】
2012108211.tif 000004
【図３】
2012108211.tif 000005
【図４】
2012108211.tif 000006
【図５】
2012108211.tif 000007
【図６】
2012108211.tif 000008
【図７】
2012108211.tif 000009
【図８】
2012108211.tif 000010
【図９】
2012108211.tif 000011
【図１０】
2012108211.tif 000012
【図１１】
2012108211.tif 000013
【図１２】
2012108211.tif 000014
【図１３】
2012108211.tif 000015
【図１４】
2012108211.tif 000016
【図１５】
2012108211.tif 000017
【図１６】
2012108211.tif 000018
【図１７】
2012108211.tif 000019
【図１８】
2012108211.tif 000020
【図１９】
2012108211.tif 000021
【図２０】
2012108211.tif 000022
【図２１】
2012108211.tif 000023
【図２２】
2012108211.tif 000024
【図２３】
2012108211.tif 000025